(57)【要約】【課題】射出成形機の最大能力に差異があっても同一の成形品を得られるように射出形成の操作量を自動的に補正する射出成形機の制御装置、成形条件ファイル管理装置及び成形条件ファイル管理システムを提供する。【解決手段】射出成形機１Ｂの制御部１０は、設定された成形条件と能力値記憶部２２の射出成形機１Ｂの機械能力値とに基づいて制御指令値を生成する指令値生成部１１と、生成された制御指令値に基づいて可動部を制御する動作制御部１２と、射出成形機１Ａにおいて設定された成形条件とこの成形条件に固有の機械能力値とを含む成形条件ファイルを受け付けるファイル受付部１３と、受け付けた成形条件ファイルの成形条件に固有の機械能力値と能力値記憶部２２に記憶された機械能力値とに基づいて制御指令値を補正する指令値補正部１５と、を備え、動作制御部１２は、指令値補正部１５による補正後の制御指令値に基づいて可動部を制御する。【選択図】図３
2020093402.tif 000002
【特許請求の範囲】
【請求項１】
第１機械能力値を記憶する能力値記憶部と、
設定された第１成形条件と、前記能力値記憶部に記憶された前記第１機械能力値とに基づいて、可動部を制御する制御指令値を生成する指令値生成部と、
生成された前記制御指令値に基づいて前記可動部を制御する動作制御部と、
他の機械において設定された第２成形条件と、前記第２成形条件に固有の第２機械能力値とを含む成形条件ファイルを受け付ける成形条件ファイル受付部と、
受け付けた前記成形条件ファイルの前記第２成形条件に固有の前記第２機械能力値と、前記能力値記憶部に記憶された前記第１機械能力値とに基づいて、前記制御指令値を補正する指令値補正部と、
を備え、
前記動作制御部は、前記指令値補正部による補正後の前記制御指令値に基づいて、前記可動部を制御する、射出成形機の制御装置。
【請求項２】
前記他の機械に対して入出力可能に接続されており、
前記成形条件ファイル受付部は、前記成形条件ファイルを、前記他の機械から受け付ける、請求項１に記載の射出成形機の制御装置。
【請求項３】
前記第２機械能力値は、前記可動部の最大速度、最大加速度、最大トルク、最大推力、イナーシャ、重量及び射出スクリュ径のうちのいずれか１つ以上である、請求項１又は請求項２に記載の射出成形機の制御装置。
【請求項４】
前記成形条件ファイル受付部が受け付けた前記成形条件ファイルに含まれる前記第２成形条件を、前記第１成形条件として設定する成形条件設定部を備える、請求項１から請求項３までのいずれか一項に記載の射出成形機の制御装置。
【請求項５】
各機械に対して通信可能に接続された成形条件ファイル管理装置であって、
各機械において設定された成形条件と、前記成形条件に固有の機械能力値とを含む成形条件ファイルを、各機械から受信する成形条件ファイル受信部と、
前記成形条件ファイル受信部が受信した前記成形条件ファイルを、受信元の各機械を識別可能に記憶する成形条件ファイル記憶部と、
一の機械から移管前の機械を識別する機械識別情報を含む要求を受け付けた場合に、前記機械識別情報に対応付けられた前記成形条件ファイルを前記成形条件ファイル記憶部から抽出する成形条件ファイル抽出部と、
前記成形条件ファイル抽出部から抽出した前記成形条件ファイルを、前記一の機械に送信する成形条件ファイル送信部と、
を備える成形条件ファイル管理装置。
【請求項６】
請求項１から請求項４までのいずれか一項に記載の射出成形機の制御装置と、
請求項５に記載の成形条件ファイル管理装置と、
を備えた成形条件ファイル管理システム。
【発明の詳細な説明】
【技術分野】
【０００１】
本発明は、射出成形機の制御装置、成形条件ファイル管理装置及び成形条件ファイル管理システムに関する。
【背景技術】
【０００２】
従来、最大加速度や、最大トルクといった制御軸の最大能力が異なる射出成形機の間で、金型を移管して成形を行うことが行われる。このような場合、ユーザが設定する射出成形機の成形条件を同一にしても、同一の成形品が得られないという問題がある。
【０００３】
他方、引用文献１には、射出成形機の構造が異なる場合に、射出成形機の設定の互換性を確保した射出成形機を提供する技術が開示されている。
【先行技術文献】
【特許文献】
【０００４】
【特許文献１】特開２０１７−１５４４９７号公報
【発明の概要】
【発明が解決しようとする課題】
【０００５】
特許文献１に記載の技術は、射出成形機の構造が現構造とは異なる別構造であったときの設定値を用いて、射出成形機の構造が現構造であるときの操作量を生成する場合に、制御量の検出値を補正するものである。しかしながら、検出値の補正量は、予め試験等により求める必要があるため、ユーザの負担になっていた。
【０００６】
本発明は、射出成形機の最大能力に差異があっても同一の成形品を得られるように射出形成の操作量を自動的に補正する射出成形機の制御装置、成形条件ファイル管理装置及び成形条件ファイル管理システムを提供することを目的とする。
【課題を解決するための手段】
【０００７】
（１）本発明の射出成形機（例えば、後述の「射出成形機１Ｂ」）の制御装置（例えば、後述の「制御部１０」）は、第１機械能力値を記憶する能力値記憶部（例えば、後述の「能力値記憶部２２」）と、設定された第１成形条件と、前記能力値記憶部に記憶された前記第１機械能力値とに基づいて、可動部を制御する制御指令値を生成する指令値生成部（例えば、後述の「指令値生成部１１」）と、生成された前記制御指令値に基づいて前記可動部を制御する動作制御部（例えば、後述の「動作制御部１２」）と、他の機械（例えば、後述の「射出成形機１Ａ」）において設定された第２成形条件と、前記第２成形条件に固有の第２機械能力値とを含む成形条件ファイルを受け付ける成形条件ファイル受付部（例えば、後述の「ファイル受付部１３」）と、受け付けた前記成形条件ファイルの前記第２成形条件に固有の前記第２機械能力値と、前記能力値記憶部に記憶された前記第１機械能力値とに基づいて、前記制御指令値を補正する指令値補正部（例えば、後述の「指令値補正部１５」）と、を備え、前記動作制御部は、前記指令値補正部による補正後の前記制御指令値に基づいて、前記可動部を制御する。
【０００８】
（２）  （１）に記載の射出成形機の制御装置において、前記他の機械に対して入出力可能に接続されており、前記成形条件ファイル受付部は、前記成形条件ファイルを、前記他の機械から受け付けてもよい。
【０００９】
（３）  （１）又は（２）に記載の射出成形機の制御装置において、前記第２機械能力値は、前記可動部の最大速度、最大加速度、最大トルク、最大推力、イナーシャ、重量及び射出スクリュ径のうちのいずれか１つ以上であってもよい。
【００１０】
（４）  （１）から（３）までのいずれかに記載の射出成形機の制御装置において、前記成形条件ファイル受付部が受け付けた前記成形条件ファイルに含まれる前記第２成形条件を、前記第１成形条件として設定する成形条件設定部（例えば、後述の「成形条件設定部１４」）を備えてもよい。
【００１１】
（５）本発明の各機械に対して通信可能に接続された成形条件ファイル管理装置（例えば、後述の「管理サーバ２０５」）は、各機械（例えば、後述の「射出成形機１Ａ」、「射出成形機１Ｂ」）において設定された成形条件と、前記成形条件に固有の機械能力値とを含む成形条件ファイルを、各機械から受信する成形条件ファイル受信部（例えば、後述の「成形条件ファイル受信部２５１」）と、前記成形条件ファイル受信部が受信した前記成形条件ファイルを、受信元の各機械を識別可能に記憶する成形条件ファイル記憶部（例えば、後述の「成形条件ファイル記憶部２６１」）と、一の機械から移管前の機械を識別する機械識別情報を含む要求を受け付けた場合に、前記機械識別情報に対応付けられた前記成形条件ファイルを前記成形条件ファイル記憶部から抽出する成形条件ファイル抽出部（例えば、後述の「成形条件ファイル抽出部２５２」）と、前記成形条件ファイル抽出部から抽出した前記成形条件ファイルを、前記一の機械に送信する成形条件ファイル送信部（例えば、後述の「成形条件ファイル送信部２５３」）と、を備える。
【００１２】
（６）本発明の成形条件ファイル管理システム（例えば、後述の「成形条件ファイル管理システム２００」）は、（１）から（４）までのいずれかに記載の射出成形機の制御装置と、（５）に記載の成形条件ファイル管理装置と、を備える。
【発明の効果】
【００１３】
本発明によれば、射出成形機の最大能力に差異があっても同一の成形品を得られるように射出形成の操作量を自動的に補正する射出成形機の制御装置、成形条件ファイル管理装置及び成形条件ファイル管理システムを提供することができる。
【図面の簡単な説明】
【００１４】
【図１】本実施形態に係る射出成形機の機能ブロック図である。
【図２】本実施形態に係る射出成形機の能力値記憶部に記憶される機械能力値の例を示す図である。
【図３】本実施形態に係る２つの射出成形機での処理の概要を説明するための図である。
【図４】本実施形態に係る射出成形機の制御処理を示すフローチャートである。
【図５】本実施形態に係る射出成形機のファイル生成処理を示すフローチャートである。
【図６】本実施形態に係る射出成形機の補正制御処理を示すフローチャートである。
【図７】変形形態に係る成形条件ファイル管理システムの構成を示す図である。
【発明を実施するための形態】
【００１５】
（実施形態）
まず、本発明の実施形態の概略を説明する。本実施形態は、一の射出成形機で得られる成形品と同一の成形品を、その射出成形機とは最大能力が異なる他の射出成形機でも得られるようにするためのものに関する。
【００１６】
以下において、後述する成形条件ファイルを送信する側の射出成形機１を、射出成形機１Ａとし、成形条件ファイルを受信する側の射出成形機１を、射出成形機１Ｂとして説明する。ここで、射出成形機１Ａと、射出成形機１Ｂとは、機械の最大能力が異なるものであり、射出成形機１Ｂの方が、射出成形機１Ａより最大能力が高いものとして説明する。
また、射出成形機１Ａと、射出成形機１Ｂとを区別しない場合には、単に射出成形機１として説明する。
【００１７】
図１は、本実施形態に係る射出成形機１Ｂの機能ブロック図である。
図２は、本実施形態に係る射出成形機１Ｂの能力値記憶部２２に記憶される機械能力値の例を示す図である。
図１に示す射出成形機１Ｂは、制御部１０（制御装置）と、記憶部２０と、射出部２４と、型締部２５と、入力部２７と、表示部２８と、通信部２９とを備える。
制御部１０は、例えば、マイクロプロセッサ等から構成される。制御部１０は、記憶部２０から読み出した各プログラムを実行し、射出部２４及び型締部２５等の制御を行う。また、各プログラムの実行の際に、制御部１０は、記憶部２０から情報を読み出し、記憶部２０に情報の書き込みを行い、入力部２７、表示部２８、通信部２９等の制御を行う。
制御部１０は、指令値生成部１１と、動作制御部１２と、ファイル受付部１３（成形条件ファイル受付部）と、成形条件設定部１４と、指令値補正部１５とを備える。
【００１８】
指令値生成部１１は、後述する設定画面を用いて設定された成形条件（第１成形条件）と、後述する能力値記憶部２２に記憶された機械能力値（第１機械能力値）とに基づいて、可動部を制御する制御指令値を生成する。
ここで、成形条件は、射出成形作業に関する条件であり、例えば、金型毎の射出速度や、保圧圧力等である。
また、機械能力値は、射出成形機１Ｂに固有の値である。そして、機械能力値は、射出成形機１Ｂの最大能力を示す。機械能力値は、例えば、可動部の最大速度、最大加速度、最大トルク、最大推力、イナーシャ、重量及び射出スクリュ径等である。
さらに、可動部は、軸を動作させるためのものであり、例えば、スクリュ前後進動作によって圧力制御を行うスクリュ前後進軸であってもよい。また、可動部は、その他、エジェクタ中子の動作によって金型キャビティ部の圧力制御を行うエジェクタ軸であってもよいし、型盤の圧縮動作によって金型キャビティ部の圧力制御を行う型開閉軸であってもよい。
【００１９】
動作制御部１２は、生成された制御指令値に基づいて可動部を制御する。また、動作制御部１２は、後述する補正後の制御指令値に基づいて可動部を制御する。
ファイル受付部１３は、射出成形機１Ａにおいて設定された成形条件（第２成形条件）と、この成形条件に固有の機械能力値（第２機械能力値）とを含む成形条件ファイルを、射出成形機１Ａから受け付ける。
成形条件設定部１４は、ファイル受付部１３が受け付けた成形条件ファイルの成形条件を、この射出成形機１Ｂの成形条件（第１成形条件）として設定する。
指令値補正部１５は、ファイル受付部１３が受け付けた成形条件ファイルの成形条件に固有の機械能力値と、能力値記憶部２２に記憶された機械能力値とに基づいて、制御指令値を補正する。
【００２０】
記憶部２０は、例えば半導体メモリやハードディスクドライブ等で構成される。記憶部２０は、プログラム記憶部２１と、能力値記憶部２２とを備える。
プログラム記憶部２１は、射出成形機１Ｂのシーケンス動作を制御するシーケンスプログラム、射出成形機１Ｂの可動部である各軸を駆動制御する運動軸制御プログラム、各軸のサーボモータを制御するサーボ制御プログラム等の各種プログラムを記憶する記憶領域である。
能力値記憶部２２は、機械能力値を記憶する記憶領域である。図２に示すように、能力値記憶部２２には、射出成形機１Ｂに固有の各種の機械能力値が記憶されている。
なお、記憶部２０は、その他、成形条件、パラメータ、マクロ変数等成形データ等が記憶されている。
【００２１】
射出部２４は、一般の射出成形機の射出装置と同様である。射出部２４は、ホッパに貯留された樹脂が射出シリンダ内に供給されて、射出シリンダ内のスクリュによって、射出シリンダの先端部に設けられたノズル方向に搬送される。搬送にあたっては、射出シリンダの周囲に設けられたヒータによって加熱され、この加熱によって射出シリンダの内部の樹脂が溶融される。そして溶融された樹脂が、射出シリンダの先端部のノズルから金型内に射出される。
型締部２５は、金型を型締めする装置である。型締部２５によって金型を型締めすることによって、成形品が成形される。
【００２２】
入力部２７は、例えばキーボード、表示部の表示面に重ねて設けられるタッチパネル等の入力装置等で構成される。
表示部２８は、例えば、液晶ディスプレイ等の表示デバイスにより構成され、制御部１０からの指示を受けて画面を表示する。
通信部２９は、例えば、ＬＡＮ（Ｌｏｃａｌ  Ａｒｅａ  Ｎｅｔｗｏｒｋ）を対象として構成される。通信部２９は、例えば、成形工場内のネットワークを介して、射出成形機１Ａとデータ通信する。
なお、この例では、通信部２９を有するものとして説明するが、これに限定されない。例えば、ＵＳＢ（Ｕｎｉｖｅｒｓａｌ  Ｓｅｒｉａｌ  Ｂｕｓ）メモリ等の記憶媒体を介して、射出成形機１Ｂで生成したデータを射出成形機１Ａに入力できればよく、例えば、記憶媒体との接続部であってもよい。
【００２３】
なお、射出成形機１Ａは、制御部１０のファイル受付部１３、成形条件設定部１４及び指令値補正部１５を有さなくてもよい。また、射出成形機１Ａは、成形条件ファイルを生成して送信する機能を有する。成形条件ファイルを生成する機能は、射出成形機１Ａで設定した成形条件（第２成形条件）と、射出成形機１Ａに固有の機械能力値（第２機械能力値）とを含む成形条件ファイルを生成する機能である。この成形条件ファイルを生成する機能は、射出成形機１Ｂも有してもよい。
【００２４】
次に、射出成形機１Ａでの成形品と同一の成形品を、射出成形機１Ｂで生産する場合の概要を説明する。
図３は、本実施形態に係る射出成形機１Ａ及び射出成形機１Ｂでの処理の概要を説明するための図である。
図３に示す射出成形機１Ａでは、（１）に示すように、表示部２８に表示された設定画面を用いて、成形条件である速度（ここでは、１００ｍｍ／ｓ）を設定する。また、能力値記憶部２２に記憶された射出成形機１Ａの機械能力値は、例えば、制御軸の最大加速度が１ｍ／ｓ２である。
射出成形機１Ａの制御部１０（指令値生成部１１）は、（２）に示すように、設定画面で設定した成形条件と、射出成形機１Ａの機械能力値とに基づいて、制御指令値を生成する。そして、射出成形機１Ａの制御部１０（動作制御部１２）は、（３）に示すように、生成した制御指令値に基づいて可動部を制御する。
【００２５】
なお、図中（Ａ）で示すグラフは、（２）において生成された制御指令値の速度波形である。
そして、射出成形機１Ａでの成形品と同一の成形品を、別の射出成形機１Ｂで生産したい場合には、射出成形機１Ａの制御部１０は、（４）に示すように、成形条件ファイルを生成する。成形条件ファイルは、設定した成形条件と、射出成形機１Ａの機械能力値とを含む。
【００２６】
次に、射出成形機１Ａから金型が移管された射出成形機１Ｂでの処理について説明する。
射出成形機１Ｂの制御部１０（ファイル受付部１３）は、（５）に示すように、射出成形機１Ａで生成した成形条件ファイルを受け付ける。
射出成形機１Ｂは、受け付けた成形条件ファイルに含まれる成形条件を、（６）に示すように、表示部２８に表示された設定画面に出力する。また、能力値記憶部２２に記憶された射出成形機１Ｂの機械能力値は、例えば、制御軸の最大加速度が２ｍ／ｓ２である。
このように、射出成形機１Ｂの機械能力値は、射出成形機１Ａの機械能力値とは異なり、射出成形機１Ｂの方が、射出成形機１Ａより機械能力値が高い。
【００２７】
そこで、射出成形機１Ｂの制御部１０（指令値生成部１１）は、（７）に示すように、設定画面に出力されている成形条件と、射出成形機１Ｂの機械能力値とに基づいて、制御指令値を生成する。前述したように、射出成形機１Ｂの機械能力値は、射出成形機１Ａの機械能力値より高い。そこで、図中（Ｂ）で示すグラフのように、（７）において生成された制御指令値の速度波形は、図中（Ａ）で示すグラフと異なるものになる（後者の方が、初動時の加速度が大きい）。よって、成形条件が同じであっても、このままだと、射出成形機１Ｂは、射出成形機１Ａの成形品と同一のものを生産できない。
【００２８】
そこで、射出成形機１Ｂの制御部１０（指令値補正部１５）は、（８）に示すように、射出成形機１Ｂの機械能力値と、成形条件ファイルに含まれる射出成形機１Ａの機械能力値とに基づいて、生成した制御指令値を補正する。具体的には、加速度は、小さくなるように補正される。
そして、射出成形機１Ｂの制御部１０（動作制御部１２）は、（９）に示すように、補正後の制御指令値に基づいて可動部を制御する。
図中（Ｃ）で示すグラフは、（８）において補正された補正後の制御指令値の速度波形である。（Ｃ）で示される速度波形は、（Ａ）で示される速度波形と同じ形状である。そのため、射出成形機１Ｂにおいても、射出成形機１Ａと同一の成形品を得られるように射出形成の操作量を自動的に補正することができる。
【００２９】
次に、前述した処理を、フローチャートに基づき説明する。
まず、射出成形機１Ａにおける制御処理について、図４に基づき説明する。
図４は、本実施形態に係る射出成形機１Ａの制御処理を示すフローチャートである。
図４のステップＳ（以降、「ステップＳ」を、単に「Ｓ」という。）１１において、制御部１０は、設定画面を用いて成形条件を設定する。前述の例では、成形条件として、速度を説明したが、これに限定されるものではない。成形条件であれば、他の項目でもよい。また、成形条件は、１つに限定されない。
【００３０】
Ｓ１２において、制御部１０は、成形条件が設定されたか否かを判断する。例えば、入力部２７を介して成形条件が入力され、確定するオペレーションがされた場合に、制御部１０は、成形条件が設定されたと判断してもよい。成形条件が設定された場合（Ｓ１２：ＹＥＳ）には、制御部１０は、処理をＳ１３に移す。他方、成形条件が設定されていない場合（Ｓ１２：ＮＯ）には、制御部１０は、処理をＳ１１に移し、成形条件が設定されるのを待つ。
【００３１】
Ｓ１３において、制御部１０（指令値生成部１１）は、設定された成形条件と、機械能力値とに基づいて、可動部の制御指令値を生成する。
Ｓ１４において、制御部１０（動作制御部１２）は、生成された制御指令値に基づいて可動部を制御する。
【００３２】
Ｓ１５において、制御部１０は、射出成形機１Ｂにおいて、射出成形機１Ａでの成形品と同一の成形品を生産するための処理を行うか否か、つまり、制御部１０は、成形条件ファイルを生成するか否かを判断する。制御部１０は、この判断を、例えば、オペレータによる成形条件ファイル生成のための操作にしたがって判断することができる。成形条件ファイルを生成する場合（Ｓ１５：ＹＥＳ）には、制御部１０は、処理をＳ１６に移す。他方、成形条件ファイルを生成しない場合（Ｓ１５：ＮＯ）には、制御部１０は、本処理を終了する。
Ｓ１６において、制御部１０は、ファイル生成処理を行う。その後、制御部１０は、本処理を終了する。
【００３３】
次に、ファイル生成処理について、図５に基づき説明する。
図５は、本実施形態に係る射出成形機１Ａのファイル生成処理を示すフローチャートである。
図５のＳ２１において、制御部１０は、記憶部２０に記憶されている成形条件と、能力値記憶部２２に記憶されている機械能力値とを含む成形条件ファイルを生成する。
Ｓ２２において、制御部１０は、生成した成形条件ファイルを、記憶部２０に記憶させる。
【００３４】
Ｓ２３において、制御部１０は、成形条件ファイルを射出成形機１Ｂに送信するか否かを判断する。制御部１０は、この判断を、例えば、オペレータによる成形条件ファイル送信のための操作にしたがって判断することができる。成形条件ファイルを送信する場合（Ｓ２３：ＹＥＳ）には、制御部１０は、処理をＳ２４に移す。他方、成形条件ファイルを送信しない場合（Ｓ２３：ＮＯ）には、制御部１０は、本処理を終了する。なお、成形条件ファイルは、記憶部２０に記憶されているので、例えば、オペレータの指示にしたがって任意のタイミングで射出成形機１Ｂに送信できる。
Ｓ２４において、制御部１０は、成形条件ファイルを通信部２９を介して射出成形機１Ｂに送信する。その後、制御部１０は、本処理を終了する。
【００３５】
次に、射出成形機１Ｂにおける補正制御処理について、図６に基づき説明する。
図６は、本実施形態に係る射出成形機１Ｂの補正制御処理を示すフローチャートである。
図６のＳ３１において、射出成形機１Ｂの制御部１０（ファイル受付部１３）は、通信部２９を介して射出成形機１Ａから成形条件ファイルを受信する。
Ｓ３２において、制御部１０（成形条件設定部１４）は、受信した成形条件ファイルを読み出し、成形条件ファイルに含まれる成形条件を、設定画面に出力する。
Ｓ３３において、制御部１０（指令値生成部１１）は、設定画面に出力されている成形条件と、能力値記憶部２２に記憶されている射出成形機１Ｂの機械能力値とに基づいて、可動部の制御指令値を生成する。
【００３６】
Ｓ３４において、制御部１０（指令値補正部１５）は、受信した成形条件ファイルに含まれる射出成形機１Ａの機械能力値と、能力値記憶部２２に記憶されている射出成形機１Ｂの機械能力値とに基づいて、生成した制御指令値を補正する。
Ｓ３５において、制御部１０（動作制御部１２）は、補正後の制御指令値に基づいて可動部を制御する。その後、制御部１０は、本処理を終了する。
【００３７】
なお、上記で説明したのは、射出成形機１Ｂにおいて、射出成形機１Ａと同一の成形品を生産するための処理である。よって、射出成形機１Ｂの最大能力を用いて成形品を生産する場合には、射出成形機１Ｂは、図４に記載した制御処理を行えばよい。
【００３８】
このように、射出成形機１Ａでは、射出成形機１Ａで使用した成形条件と、機械能力値とを含む成形条件ファイルを生成する。そして、機械能力値の異なる射出成形機１Ｂに金型を移管して成形を行う際に、射出成形機１Ｂでは、射出成形機１Ａから受信した成形条件ファイルに含まれる射出成形機１Ａの最大能力に基づいて同一の成形品が得られるように、可動部を制御する制御指令値を補正する。よって、射出成形機１Ｂの射出成形の操作量を自動的に補正できる。
制御指令値の補正は、射出成形機１Ａと射出成形機１Ｂとの機械能力値に基づいて自動的に行われるため、オペレータ等は、各射出成形機１の違いを考慮した成形条件の調整を行う必要がなくなり、負担が軽減できる。
【００３９】
以上、本発明の実施形態について説明したが、本発明は前述した実施形態に限るものではない。本発明の要旨を逸脱しない範囲において種々の変更を施した形態での実施が可能である。
【００４０】
（変形例１）
前述した実施形態では、機械能力値として加速度を例に説明したが、これに限定されない。加速度ではない他の機械能力値を用いてもよい。例えば、射出成形機１Ａと、射出成形機１Ｂとの間で、射出スクリュ径が異なる場合、成形条件である速度が同じであっても、単位時間あたりに吐出する射出体積（ｍｍ３／ｓｅｃ）が、スクリュ径の断面に比例した量になる。よって、射出成形機１Ｂでは、射出成形機１Ａの機械能力値と、射出成形機１Ｂの機械能力値とを用いて制御指令値を補正すればよい。
【００４１】
また、複数の機械能力値を用いてもよい。例えば、射出成形機１Ａと、射出成形機１Ｂとの間で、制御軸の最大加速度と、重量との両方が異なる場合には、射出成形機１Ｂでは、射出成形機１Ａの機械能力値と、射出成形機１Ｂの機械能力値とを、運動方程式に基づく算出を行って制御指令値を補正すればよい。
【００４２】
さらに、前述した実施形態では、機械能力値として加速度を例に説明し、射出成形機１Ｂが、射出成形機１Ａよりも機械能力値が高いものとして説明した。最大加速度だけに着目すればよい場合、この例のように、最大加速度の能力だけ上回っていればよく、図２に例示した他の項目の機械能力値は、射出成形機１Ｂが、射出成形機１Ａよりも下回ってもよい。
【００４３】
（変形例２）
前述した実施形態では、射出成形機１Ａで生成した成形条件ファイルを、射出成形機１Ｂに直接送信するものを例に説明したが、これに限定されない。例えば、各射出成形機１の成形条件ファイルを管理する管理サーバを有した成形条件ファイル管理システムを構築してもよい。
【００４４】
図７は、変形形態に係る成形条件ファイル管理システム２００の構成を示す図である。
成形条件ファイル管理システム２００は、複数の射出成形機１（１Ａ，１Ｂ，・・・）と、管理サーバ２０５（成形条件ファイル管理装置）とを備える。
管理サーバ２０５は、例えば、成形工場内のネットワーク等のネットワークＮを介して、成形工場内の射出成形機１（１Ａ，１Ｂ，・・・）と接続されている。
管理サーバ２０５は、制御部２５０と、記憶部２６０と、通信部２６９とを備える。
そして、管理サーバ２０５の制御部２５０は、射出成形機１（１Ａ，１Ｂ，・・・）において設定された成形条件と、成形条件に固有の機械能力値とを含む成形条件ファイルを、射出成形機１（１Ａ，１Ｂ，・・・）の各々から受信する成形条件ファイル受信部２５１を備える。
【００４５】
また、管理サーバ２０５の制御部２５０は、受信した成形条件ファイルを、受信元の射出成形機１（１Ａ，１Ｂ，・・・）を識別可能に記憶する成形条件ファイル記憶部２６１を備える。
そして、例えば、前述の実施形態のように、射出成形機１Ｂが、射出成形機１Ａの成形条件ファイルを用いて成形品を生産するような場合について検討する。この場合、管理サーバ２０５の制御部２５０は、射出成形機１Ｂから、射出成形機１Ａを識別する機械識別情報を含む要求を受け付けたこと応じて、機械識別情報に対応付けられた射出成形機１Ａの成形条件ファイルを、成形条件ファイル記憶部から抽出する成形条件ファイル抽出部２５２を備える。
また、管理サーバ２０５の制御部２５０は、成形条件ファイル抽出部から抽出した射出成形機１Ａの成形条件ファイルを、射出成形機１Ｂに送信する成形条件ファイル送信部２５３を備える。
【００４６】
このように、成形条件ファイル管理システム２００は、管理サーバ２０５が、ネットワークＮを介して接続された各射出成形機１の成形条件ファイルを、一元的に管理できる。そして、射出成形機１Ａで生産した成形品と同一の成形品を生産する他の射出成形機１Ｂに、同一の成形品を生産するのに必要な射出成形機１Ａの成形条件ファイルを、容易に受け渡すことができる。
【００４７】
なお、本発明で使用するプログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）を用いて格納され、コンピュータに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ（Ｒｅａｄ  Ｏｎｌｙ  Ｍｅｍｏｒｙ）、ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュＲＯＭ、ＲＡＭ（ｒａｎｄｏｍ  ａｃｃｅｓｓ  ｍｅｍｏｒｙ））を含む。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【符号の説明】
【００４８】
１，１Ａ，１Ｂ  射出成形機
１０，２５０  制御部
１１  指令値生成部
１２  動作制御部
１３  ファイル受付部（成形条件ファイル受付部）
１４  成形条件設定部
１５  指令値補正部
２０，２６０  記憶部
２２  能力値記憶部
２７  入力部
２８  表示部
２９  通信部
２００  成形条件ファイル管理システム
２０５  管理サーバ
２５１  成形条件ファイル受信部
２５２  成形条件ファイル抽出部
２５３  成形条件ファイル送信部
２６１  成形条件ファイル記憶部
【図１】
2020093402.tif 000003
【図２】
2020093402.tif 000004
【図３】
2020093402.tif 000005
【図４】
2020093402.tif 000006
【図５】
2020093402.tif 000007
【図６】
2020093402.tif 000008
【図７】
2020093402.tif 000009